(57)【特許請求の範囲】
【請求項１】
胴部１上端から口頸部２を起立し、該口頸部の上端部内面から第１嵌合筒３を起立した容器体Ａと、
上記第１嵌合筒３内面へ第２嵌合筒４外面を水密に嵌合させ、該第２嵌合筒上端から外向きフランジ５を突設し、該外向きフランジを第１嵌合筒３上面へ載置させると共に、第２嵌合筒４上面を閉塞壁６で閉塞させ、該閉塞壁の中央部から支柱７を起立し、該支柱上端から下部小径の弾性テーパ筒８を上方突設すると共に、閉塞壁６に単数ないし複数の流出孔９を穿設した保持部材Ｂと、
上記第１嵌合筒３外面へ周壁１０下部内面を嵌合させ、該周壁上端から内向きフランジ１１を突設し、該内向きフランジのフランジ孔内縁へ支持筒１２を貫設させ、該支持筒下面で上記外向きフランジ５を水密に挟持させ、更に支持筒１２上端から弾性を有する上部小径のテーパ状の薄肉の内向きフランジ状頂壁１３を突設し、該内向きフランジ状頂壁のフランジ孔外縁から封止筒１４を垂設し、該封止筒下部内面を上記弾性テーパ筒８上部外面へ水密に係合させた塗布部材Ｃとを有する、
ことを特徴とする液体塗布容器。
【請求項２】
上記封止筒１４上面から複数の突起１６を突設すると共に、封止筒１４下部内面に係合突条１５を周設し、該係合突条を上記弾性テーパ筒８上部外面へ係合させた、
ことを特徴とする請求項１記載の液体塗布容器。
【請求項３】
上記口頸部２外面に雄ねじを形成し、該口頸部の歯元円の直径を上記塗布部材Ｃの周壁１０外面の外径とほぼ相等しく形成した口頸部２外面へ筒１７下部内面を螺合させると共に、該筒上面を頂壁１８で閉塞させ、該頂壁下面外周部から垂下筒１９を垂設し、該垂下筒下面を上記内向きフランジ１１上面へ当接させたキャップＤを有する、
ことを特徴とする請求項１又は２記載の液体塗布容器。
【発明の詳細な説明】
【０００１】
【発明の属する技術分野】
本発明は毛髪剤等の液体を頭部等の塗布面に塗布する液体塗布容器に関する。
【０００２】
【従来の技術】
毛髪剤等の液体を頭部等に塗布する液体塗布容器として、胴部から口頸部を起立し、該口頸部外面へ螺合自在なキャップで口頸部を閉塞させるものが知られている。
【０００３】
【発明が解決しようとする課題】
上記従来例では液体を頭部に塗布する場合、一方の手で容器を持ち、他方の手で液体をすりこむようにしているため手に液体が付着していた。
また、閉栓はキャップを口頸部外面へ螺合させることにより行うが、キャップの締付けがゆるい場合や、キャップの締付けがゆるんだりした場合に容器体が傾倒状態にあると口頸部から液体が漏出することがある。
【０００４】
請求項１記載の液体塗布容器は、弾性を有する内向きフランジ状頂壁で封止筒を上下動自在に支持させることにより容器自体で液体のすりこみを可能にすると共に、封止筒を弾性テーパ筒へ弾性力を利用して係合させることによりキャップの締付けが不完全な場合でも液体が漏出しないようにするものである。
【０００５】
請求項２記載の液体塗布容器は、上記請求項１記載の液体塗布容器が有する解決課題を有するほか、封止筒上面から突起を突設することにより、塗布面と封止筒上面との間に流出路が形成されるようにして塗布効率の一層の向上を図るものである。
【０００６】
請求項３記載の液体塗布容器は、上記請求項１及び２記載の液体塗布容器が有する解決課題を有するほか、キャップで口頸部を閉塞させることにより、より一層の液体漏出防止を図るものである。
【０００７】
【課題を解決するための手段】
第１の手段として、胴部１上端から口頸部２を起立し、該口頸部の上端部内面から第１嵌合筒３を起立した容器体Ａと、
上記第１嵌合筒３内面へ第２嵌合筒４外面を水密に嵌合させ、該第２嵌合筒上端から外向きフランジ５を突設し、該外向きフランジを第１嵌合筒３上面へ載置させると共に、第２嵌合筒４上面を閉塞壁６で閉塞させ、該閉塞壁の中央部から支柱７を起立し、該支柱上端から下部小径の弾性テーパ筒８を上方突設すると共に、閉塞壁６に単数ないし複数の流出孔９を穿設した保持部材Ｂと、
上記第１嵌合筒３外面へ周壁１０下部内面を嵌合させ、該周壁上端から内向きフランジ１１を突設し、該内向きフランジのフランジ孔内縁へ支持筒１２を貫設させ、該支持筒下面で上記外向きフランジ５を水密に挟持させ、更に支持筒１２上端から弾性を有する上部小径のテーパ状の薄肉の内向きフランジ状頂壁１３を突設し、該内向きフランジ状頂壁のフランジ孔外縁から封止筒１４を垂設し、該封止筒下部内面を上記弾性テーパ筒８上部外面へ水密に係合させた塗布部材Ｃとを有する。
【０００８】
第２の手段として、上記第１の手段を有すると共に、上記封止筒１４上面から複数の突起１６を突設すると共に、封止筒１４下部内面に係合突条１５を周設し、該係合突条を上記弾性テーパ筒８上部外面へ係合させた。
【０００９】
第３の手段として、上記第１又は第２の手段を有すると共に、上記口頸部２外面に雄ねじを形成し、該口頸部の歯元円の直径を上記塗布部材Ｃの周壁１０外面の外径とほぼ相等しく形成した口頸部２外面へ筒１７下部内面を螺合させると共に、該筒上面を頂壁１８で閉塞させ、該頂壁下面外周部から垂下筒１９を垂設し、該垂下筒下面を上記内向きフランジ１１上面へ当接させたキャップＤを有する。
【００１０】
【発明の実施の形態】
以下、本発明の実施形態を図面を参照しながら説明する。
Ａは容器体で、胴部１上端部から肩部を介して口頸部２を起立し、該口頸部上端内面から第１嵌合筒３を起立すると共に、口頸部２外面に雄ねじを形成する。
【００１１】
Ｂは保持部材で、第１嵌合筒３内面へ第２嵌合筒４外面を水密に嵌合させ、該第２嵌合筒上端から外向きフランジ５を突設し、該外向きフランジを第１嵌合筒３上面へ載置させる。一方、第２嵌合筒４上面を閉塞壁６で閉塞させ、該閉塞壁の中央部から支柱７を起立し、該支柱上端から下部小径の弾性テーパ筒８を上方突設し、さらに、閉塞壁６に複数の流出孔９を穿設する。５ａは外向きフランジ５外周部から起立した第３嵌合筒である。
【００１２】
Ｃは塗布部材で、第１嵌合筒３外面へ周壁１０下部内面を嵌合させ、該周壁上端から内向きフランジ１１を突設し、該内向きフランジのフランジ孔内縁へ支持筒１２を貫設させ、該支持筒下面と第１嵌合筒３上面とで外向きフランジ５を水密に挟持させる。一方、支持筒１２上端から弾性を有する上部小径のテーパ状の薄肉の内向きフランジ状頂壁１３を突設し、該内向きフランジ状頂壁のフランジ孔外縁から封止筒１４を垂設する。
【００１３】
そして、封止筒１４下端部内面を弾性テーパ筒８上部外面へ水密に係合させる。この場合、請求項２記載のように、封止筒１４下端内面に係合突条１５を周設し、該係合突条を弾性テーパ筒８上部外面へ係合させるのが好ましい。また、封止筒１４上面から複数の突起１６を等間隔をおいて突設する。
なお、第３嵌合筒５ａを周壁１０内面と支持筒１２下部外面との間の間隙に嵌合させる。
上記構成に係る塗布部材Ｃは軟質合成樹脂材で形成する。
【００１４】
Ｄはキャップで、雄ねじを形成した口頸部２外面へ筒１７下部内面を螺合させると共に、該筒上面を頂壁１８で閉塞させ、該頂壁下面外周部から垂下筒１９を垂設し、該垂下筒下面を内向きフランジ１１上面へ当接させている。
このようにキャップを設ける場合には口頸部２の歯元円の直径を周壁１０外面の外径とほぼ相等しく形成する。
【００１５】
次に本実施形態の作用について説明する。
液体を塗布するには、図１に示す閉栓状態からキャップＤをはずして塗布部材Ｃを露出させた後、図２に示すように容器体Ａを倒立させ封止筒１４を塗布面２０へ押し付ければよく、すると内向きフランジ状頂壁１３が上方へ弾性変形して封止筒１４が弾性テーパ筒８から離間し、封止筒１４内面と弾性テーパ筒８外面との間に液体流出間隙が形成され、該流出間隙から液体が流出する。
【００１６】
一方、容器体Ａの倒立により容器体内の液体は流出孔９から流出して塗布部材Ｃ内へ流入する。こうして封止筒１４を塗布面２０へ押し付けた状態で封止筒１４を適当方向へ動かすことにより液体を塗布面へすりこませることができる。
請求項２記載のように、封止筒１４上面に突起１６を突設する場合には封止筒１４上面と塗布面との間に液体の流出路が形成されるため塗布効率が一層向上する。
【００１７】
塗布後、封止筒１４を塗布面２０から離すと、内向きフランジ状頂壁１３が弾性力により下方へ変形して元の形状に復帰し、封止筒１４が弾性テーパ筒８に係合する。
【００１８】
【発明の効果】
請求項１記載の液体塗布容器は、弾性を有する内向きフランジ状頂壁から封止筒を垂設することにより封止筒を上下動自在に支持させたので、容器体を適当方向へ動かすことにより塗布面へ流出した液体を塗布面へすりこませることができ、このため手に液体が付着することがなく、しかも、封止筒で頭部を軽くたたくことにより刺激を与えることもできる。
また、封止筒は弾性により常時弾性テーパ筒に係合させられているので、キャップの締付けがゆるい場合でも液体が漏出することがない。
【００１９】
請求項２記載の液体塗布容器は、封止筒上面から突起を突設したので、塗布面と封止筒上面との間に液体流出路が形成され、このため塗布効率が一層向上する。
【００２０】
請求項３記載の液体塗布容器は、キャップにより口頸部を閉塞させるので、液体漏出防止がより一層完全なものとなる。
【図面の簡単な説明】
【図１】本発明に係る液体塗布容器の閉栓状態を示す半断面図。
【図２】同じく、使用状態を示す半断面図。
【符号の説明】
１  胴部
２  口頸部
３  第１嵌合筒
４  第２嵌合筒
５  外向きフランジ
６  閉塞壁
７  支柱
８  弾性テーパ筒
９  流出孔
１０  周壁
１１  内向きフランジ
１２  支持筒
１３  内向きフランジ状頂壁
１４  封止筒
１５  係合突条
１６  突起
１７  筒
１８  頂壁
１９  垂下筒
Ａ  容器体
Ｂ  保持部材
Ｃ  塗布部材
Ｄ  キャップ
【図１】
0003828260.tif 000002
【図２】
0003828260.tif 000003